(57)【要約】【課題】  デジタルカメラの露出面の汚れを容易に除去できるデジタルカメラ用クレードル及び撮像装置ユニットを提供する。【解決手段】  クレードル本体６０の表面にデジタルカメラ７０が装着可能となっており、デジタルカメラを装着している際に、クレードル本体内部のＹ定着用蛍光ランプ５０及びＭ定着用蛍光ランプ５２よりデジタルカメラに向けて紫外線を照射できるようになっている。【選択図】  図７
2006310970.tif 000002
【特許請求の範囲】
【請求項１】
筐体の表面にデジタルカメラが装着可能となっており、該デジタルカメラを装着している際に、前記筐体内部の光源より該デジタルカメラに向けて紫外線を照射できるようになっていることを特徴とするデジタルカメラ用クレードル。
【請求項２】
前記筐体に前記紫外線照射のオン・オフを制御可能なシャッタ手段を備えてなる請求項１に記載のデジタルカメラ用クレードル。
【請求項３】
前記デジタルカメラを装着しているときにのみ前記紫外線が照射可能となっている請求項１又は２に記載のデジタルカメラ用クレードル。
【請求項４】
前記筐体内部の光源がプリンタ用の光源であり、前記筐体がプリンタ手段となっている請求項１、２又は３に記載のデジタルカメラ用クレードル。
【請求項５】
前記筐体の表面にデジタルカメラが装着されているときのみ、前記プリンタ手段が運転可能となっている請求項４に記載のデジタルカメラ用クレードル。
【請求項６】
請求項１〜５のいずれか１項に記載のデジタルカメラ用クレードルと、
該デジタルカメラ用クレードルの表面に装着可能となっているデジタルカメラであって、レンズ、ディスプレイ、ファインダ、及び、センサ窓の１以上の外部への露出面が光触媒作用を有する光触媒層で覆われているデジタルカメラと、を含んで構成されていることを特徴とする撮像装置ユニット。
【発明の詳細な説明】
【技術分野】
【０００１】
本発明は、デジタルカメラ用クレードル及び撮像装置ユニットに係り、特に、デジタルカメラの露出面の汚れを容易に除去できるデジタルカメラ用クレードル及び撮像装置ユニットに関する。
【背景技術】
【０００２】
デジタルカメラには、通常、レンズ、ディスプレイ、ファインダ、及び、センサ窓が設けられている。これらの外部への露出面に汚れが付着していた場合、撮影した画像の画質が低下したり、表示する画像が見にくくなったり、弊害が大きい。このような弊害に対処すべく、従来より各種の提案がなされている（特許文献１、２等参照）。
【０００３】
このうち、特許文献１は、光学機器のレンズキャップに関する提案であり、クリーナ部材により接触方式によりレンズの汚染を除去する構成のものである。特許文献２は、複写装置に関する提案であり、原稿押え板に酸化チタンを含有させ、複写の際の照射光による光触媒作用により原稿押え板の汚染を除去する（分解させる）構成のものである。
【特許文献１】特開平５−３４７６８号公報
【特許文献２】特開平１０−１６１２５２号公報
【発明の開示】
【発明が解決しようとする課題】
【０００４】
しかしながら、上記従来の提案をデジタルカメラの露出面の汚れという弊害の除去に適用した場合、各種の新たな弊害を生じることとなる。
【０００５】
たとえば、特許文献１の提案によれば、接触方式によるため、レンズを傷つけたり、クリーナ部材の汚染がレンズに付着したりする懸念が大きい。また、特許文献２の提案によれば、複写装置の運転時に汚染の除去（分解）がなされるのみであり、稼働率が低かったり、運転後に時間が経過したりする場合には、汚染の除去（分解）が充分になされないという問題点がある。
【０００６】
本発明はこのような事情に鑑みてなされたもので、上記の各問題点が解消され、デジタルカメラの露出面の汚れを容易に除去できるデジタルカメラ用クレードル及び撮像装置ユニットを提供することを目的とする。
【課題を解決するための手段】
【０００７】
前記目的を達成するために、本発明は、筐体の表面にデジタルカメラが装着可能となっており、該デジタルカメラを装着している際に、前記筐体内部の光源より該デジタルカメラに向けて紫外線を照射できるようになっていることを特徴とするデジタルカメラ用クレードルを提供する。
【０００８】
本発明によれば、デジタルカメラを筐体の表面に装着している際に、内部の光源よりデジタルカメラに向けて紫外線を照射できるようになっているので、レンズ、ディスプレイ、ファインダ、及び、センサ窓の１以上の外部への露出面が光触媒作用を有する光触媒層で覆われているデジタルカメラであれば、光触媒作用により露出面の汚れを容易に除去できる。
【０００９】
すなわち、本発明によれば、既述した従来例の各問題点が解消され、デジタルカメラの露出面の汚れを非接触で容易に除去できるデジタルカメラ用クレードルが提供される。
【００１０】
なお、デジタルカメラはクレードルの上面に装着されるのが一般的であるが、「表面」とあることより、クレードルの側面等に装着される構成も採り得る。
【００１１】
また、紫外線の波長域に制限はないが、照射される紫外線は、波長が２８０〜３１５ｎｍの有害紫外線が除去された波長のものが好ましい。更に、ユーザーが紫外線の照射を確認可能なように、可視光も同時に照射されていることが好ましい。
【００１２】
本発明において、前記筐体に前記紫外線照射のオン・オフを制御可能なシャッタ手段を備えてなることが好ましい。このように、紫外線照射のオン・オフを制御するシャッタ手段を備えていれば、デジタルカメラの汚れを除去するときにのみ紫外線が照射され、それ以外のときは紫外線が筐体の外部に漏れ出ないので、使用上好ましい。
【００１３】
なお、このシャッタ手段の駆動（オン・オフ制御）は、自動（たとえば、モータやシリンダによる駆動）方式であってもよく、手動方式であってもよい。
【００１４】
また、本発明において、前記デジタルカメラを装着しているときにのみ前記紫外線が照射可能となっていることが好ましい。たとえば、筐体の一部（たとえば、天板）が透明となっており、この透明部分より紫外線が外部に照射されるような構造の場合、デジタルカメラを装着していない状態では、紫外線が筐体の外部に多量に照射されることは好ましくない。このような場合であっても、デジタルカメラを装着しているときにのみ紫外線が照射可能となっていれば、上記不具合は解消できる。
【００１５】
また、本発明において、前記筐体内部の光源がプリンタ用の光源であり、前記筐体がプリンタ手段となっていることが好ましい。このように、デジタルカメラ用クレードルがプリンタも兼ねており、プリンタ用の光源が汚れ除去にも使用されるのであれば、クレードルとしての機能が増大し、多機能製品として好ましい。
【００１６】
また、本発明において、前記筐体の表面にデジタルカメラが装着されているときのみ、前記プリンタ手段が運転可能となっていることが好ましい。たとえば、筐体の一部（たとえば、天板）が透明となっており、この透明部分より紫外線が外部に照射されるような構造の場合、デジタルカメラを装着していない状態では、紫外線が筐体の外部に多量に照射されることは好ましくない。このような場合であっても、デジタルカメラを装着しているときにのみプリンタ手段が運転可能となっていれば、上記不具合は解消できる。
【００１７】
また、本発明は、前記デジタルカメラ用クレードルと、該デジタルカメラ用クレードルの表面に装着可能となっているデジタルカメラであって、レンズ、ディスプレイ、ファインダ、及び、センサ窓の１以上の外部への露出面が光触媒作用を有する光触媒層で覆われているデジタルカメラと、を含んで構成されていることを特徴とする撮像装置ユニットを提供する。
【００１８】
本発明によれば、レンズ、ディスプレイ、ファインダ、及び、センサ窓の１以上の外部への露出面が光触媒作用を有する光触媒層で覆われているデジタルカメラを、このデジタルカメラ用クレードルに装着させて、容易に露出面の汚れを除去できる。
【発明の効果】
【００１９】
本発明によれば、デジタルカメラの露出面の汚れを容易に除去できる。
【発明を実施するための最良の形態】
【００２０】
以下、添付図面に従って本発明に係るデジタルカメラ用クレードル及び撮像装置ユニットの好ましい実施の形態について詳説する。
【００２１】
図１は、本発明に係るデジタルカメラ用クレードル１００の外観を示す斜視図である。このデジタルカメラ用クレードル１００は、プリンタとしての機能も備えている。図１に示されるように、デジタルカメラ用クレードル１００のクレードル本体６０の上面には、後述するデジタルカメラ（撮像装置）の筐体の下部分を挿入可能とする保持凹部６２が形成されている。デジタルカメラ７０（図５参照）は、この保持凹部６２に挿入されることにより、クレードル本体６０に保持される。
【００２２】
保持凹部６２の底部にはマルチコネクタ６４が設けられており、これによりデジタルカメラ用クレードル１００とデジタルカメラ７０との電気的な接続が可能となっている。
【００２３】
クレードル本体６０の前面には、プリンタ手段としての機能を発揮できるべく、操作部１２（電源スイッチのみ図示）、画像入力部（カードスロット）１４、表示部（ＬＣＤ）１８、給紙トレー６６、排紙口６８等が設けられている。
【００２４】
図２は、クレードル本体６０のうち、プリンタ手段としての機能を説明するブロック図である。このプリンタ手段は、プリント方式としてＴＡ（サーモオートクローム）方式を採用したものである。このＴＡ方式は、シアン（Ｃ）層、マゼンタ（Ｍ）層、及びイエロー（Ｙ）層を有するプリント用紙（以下、「ＴＡペーパー」という）自体が熱で発色し、所定の波長の光の照射で定着するというもので、インクやトナーが不要であるという特徴を有している。
【００２５】
このプリンタ手段は、画像記録メディア（スマートメディア、コンパクトフラッシュ、メモリスティック、ＳＤカード等）がカードスロット１４に挿入されると、その画像記録メディアから画像を読み出し、その後、プリント画像の選択やプリント枚数の指定等が行われると、プリントを行うものである。
【００２６】
このプリンタ手段は、主として中央処理装置（ＣＰＵ１０）、操作部１２、画像入力部１４、メモリ１６、表示部１８、プリントエンジン部２０、搬送部２２、及び自動濃度調整部２４から構成されている。
【００２７】
ＣＰＵ１０は、システム全体を統括的に制御する処理部であり、このＣＰＵ１０により、画像データの処理や各制御ブロックに対する画像データの受渡し、プリントの実行等の各種指示が与えられるようになっている。なお、ＣＰＵ１０への各種処理の指示は、使用者の操作に基づいて操作部１２から与えられる。
【００２８】
画像入力部（カードスロット）１４は、各種の画像記録メディアが挿入されるメディア挿入口を有しており、使用者の画像記録メディアがメディア挿入口に挿入されると、メディア挿入口に画像記録メディアが挿入されたことを示す情報をＣＰＵ１０に通知する。そして、ＣＰＵ１０から画像の読出し指令を受入すると、画像記録メディアに記録されている画像ファイルの画像データを読み出す。このようにして読み出された画像データは、ＣＰＵ１０を介してメモリ１６に記憶される。
【００２９】
メモリ１６に記憶された画像データは、ＣＰＵ１０からの指示にしたがって表示部１８やプリントエンジン部２０に出力される。
【００３０】
表示部１８は、このプリンタ手段に装着されている液晶ディスプレイ（ＬＣＤ）であり、ＣＰＵ１０を介してメモリ１６から表示する画像の画像データを取得して、その画像を表示させる。また、表示部１８には、プリントサイズを選択するためのプリントサイズ選択画面、プリント画像を選択するプリント画像選択画面、プリント枚数の指定部等が表示され、また、操作部１２は、プリントサイズ選択画面、プリント画像選択画面、プリント枚数の指定部等を利用して、プリントサイズ、プリント画像、プリント枚数等を指示することができるタッチパネルを含んでいる。
【００３１】
次に、このプリンタ手段で使用されるＴＡペーパーについて説明する。図３に示されるように、ＴＡペーパー３０は、支持体３２の表面にシアン（Ｃ）発色層３４、マゼンタ（Ｍ）発色層３６、イエロー（Ｙ）発色層３８の３層が順に重ねて形成されている。Ｃ発色層３４、Ｍ発色層３６、Ｙ発色層３８の各発色層では、それぞれに対応した熱量が与えられると、その熱量に応じた濃度（階調）のＣ色、Ｍ色、Ｙ色が発色する。
【００３２】
また、Ｃ発色層３４を除くＭ発色層３６及びＹ発色層３８の各発色層に、それぞれに対応した波長（Ｍ発色層３６は約３６５ｎｍ、Ｙ発色層３８は約４２５ｎｍ程度）の光を照射すると、発色の状態が定着されるようになっている。
【００３３】
図４は、図２に示したプリントエンジン部２０及び搬送部２２等の構成を示す要部断面図である。同図に示されるように、ＴＡペーパー３０が給送される搬送路の上流側からキャプスタンローラ４０、４０、サーマルヘッド４２及びプラテンローラ４４、カッター４６、ホームポジションセンサ（ＨＰセンサ）４８、Ｙ定着用蛍光ランプ５０、Ｍ定着用蛍光ランプ５２、及び濃度センサ５４が順に配置されている。
【００３４】
搬送路の上流側から給送されたＴＡペーパー３０は、キャプスタンローラ４０、４０によって挟持されるとともに、サーマルヘッド４２とプラテンローラ４４によって挟持され、プリント実行時にモータによって回転駆動されるキャプスタンローラ４０、４０によって矢印Ａ又はＡ′に示す副走査方向に往復走行させられる。
【００３５】
サーマルヘッド４２には、ＴＡペーパー３０の搬送方向である副走査方向に対して垂直な主走査方向に複数の発熱素子がライン状に配設されており、各発熱素子は、ＴＡペーパー３０が矢印Ａに示すプリント方向への搬送に同期して、主走査方向の１ラインずつＴＡペーパー３０に所定の熱を与えて各発色層の発色を行う。
【００３６】
ＨＰセンサ４８は、ＴＡペーパー３０の先端を検出するもので、このＨＰセンサ４８の検出出力に基づいてＴＡペーパー３０の搬送が制御される。すなわち、ＨＰセンサ４８の位置にＴＡペーパー３０の先端が搬送されたときを、ＴＡペーパー３０のホームポジションとしてＴＡペーパー３０の位置合わせが行われ、この位置を基準にして、ＴＡペーパー３０の搬送と発色及び定着のプリント処理が同期して行われる。
【００３７】
ＣＰＵ１０は、プリント開始時にメモリ１６に記憶されたプリント画像の画像データを取り込み、そのプリント画像の画像データに基づいてプリント画像の各画素におけるＣ、Ｍ、Ｙ各色の階調値を、たとえば８ビットの分解能の範囲（０〜２５５）で設定する。そして、そのプリント画像の各画素におけるＣ、Ｍ、Ｙ各色の階調値のデータをＴＡペーパー３０の走行と同期して、その走行方向（副走査方向）と垂直な方向（主走査方向）の１ラインずつ、サーマルヘッド４２に出力する。
【００３８】
サーマルヘッド４２は、ＣＰＵ１０からＣ、Ｍ、Ｙ各色の階調値のデータが与えられると、その階調値に基づいて主走査方向に配列された各ドットの発熱素子に印加する電圧及びその通電時間（パルス幅）をＴＡペーパー３０の走行に同期させて制御する。これにより、サーマルヘッド４２の各ドットの発熱素子からＴＡペーパー３０の各点に与えられる熱量がＣ、Ｍ、Ｙ各色の階調値に応じて制御され、ＴＡペーパー３０の各発色層はＣＰＵ１０から指示された階調値に対応する濃度の色を発色する。
【００３９】
プリントエンジン部２０の定着制御部は、サーマルヘッド４２によるＴＡペーパー３０のＹ発色層とＭ発色層の発色の処理と同期させてＹ定着用蛍光ランプ５０及びＭ定着用蛍光ランプ５２の点灯・消灯を制御する。Ｙ定着用蛍光ランプ５０は、少なくとも４２５ｎｍをピーク波長とする発光特性をもつランプであり、このＹ定着用蛍光ランプ５０が点灯してこのランプからＴＡペーパー３０に前記波長の光が照射されると、ＴＡペーパー３０のＹ発色層が定着される。
【００４０】
一方、Ｍ定着用蛍光ランプ５２は、少なくとも３６５ｎｍをピーク波長とする発光特性をもつランプであり、このＭ定着用蛍光ランプ５２が点灯してこのランプからＴＡペーパー３０に前記波長の光が照射されると、ＴＡペーパー３０のＭ発色層が定着される。
【００４１】
図２の自動濃度調整部２４は、ＣＰＵ１０から自動濃度調整の開始が指示されると、ＴＡペーパー３０にテストパターンをプリントさせ、このテストパターンの濃度を濃度センサ５４によって検出する。そして、濃度センサ５４によって検出されたテストパターンの濃度が目標濃度となるようにＴＡペーパー３０のＣ、Ｍ、Ｙの各層の色画像の発色（サーマルヘッド４２への印加エネルギー）を調整する。なお、自動濃度調整部２４は、プリンタ手段に必須の構成ではなく、これを備えていない構成も可能である。
【００４２】
図４のカッター４６は、ＴＡペーパー３０がロール状で供給された場合に、１枚分の画像がＴＡペーパー３０にプリントされる毎にＴＡペーパー３０をカットするとともに、前記テストパターンがプリントされた箇所をカットする。カットされたプリント写真は、写真取出口に排出され、また、カットされたテストパターンは、プリンタ手段内のごみ箱に排出される。なお、カッター４６は、図１のように、ＴＡペーパー３０が給紙トレー６６から供給される構成では不要である。
【００４３】
次に、クレードル本体６０に装着されるデジタルカメラ（撮像装置）について説明する。図５は、デジタルカメラ（撮像装置）７０の斜視図であり、（Ａ）は、斜前方から見た図であり、（Ｂ）斜後方から見た図である。
【００４４】
図５に示されるように、デジタルカメラ７０は、筐体７２を備えている。筐体７２の前面には、レンズ７４、ファインダ窓７６、測光センサ窓７７、及び、ストロボ７８が配置されている。また、筐体７２の前面内側には、レンズ７４の前面を覆う閉鎖位置とレンズ１４の前面を開放する開放位置との間を移動可能なレンズカバー（図示略）が設けられている。レンズカバーが閉鎖位置、開放位置のいずれに配置されているかの情報は、デジタルカメラ７０内部のメモリに記憶されている。
【００４５】
筐体７２の上面には、レリーズボタン８０が備えられ、筐体７２の背面には液晶ディスプレイ（以下、「ＬＣＤ 」という）８２、操作入力部８４、及び、ファインダ８６が配置されている。
【００４６】
レンズ７４、ファインダ窓７６、測光センサ窓７７、ストロボ７８、ＬＣＤ ８２ 、及び、ファインダ８６の各々の表面は、酸化チタン（ＴｉＯ２）を含んだ光触媒層９０で覆われている。光触媒層９０では、紫外線（ＵＶ光）が照射されることにより、光触媒反応
が励起され、光触媒層９０に付着した汚れが分解される。
【００４７】
次に、本発明の特徴部分であるデジタルカメラ７０への紫外線照射手段について説明する。図６は、既述の図１と同様にデジタルカメラ用クレードル１００の外観を示す斜視図であり、Ｙ定着用蛍光ランプ５０、及びＭ定着用蛍光ランプ５２が破線で示されている。
【００４８】
図７は、デジタルカメラ用クレードル１００の断面図であり、（Ａ）は、紫外線（ＵＶ光）がデジタルカメラ７０へ照射されない状態（通常時）を示し、（Ｂ）は、紫外線（ＵＶ光）がデジタルカメラ７０へ照射可能となった状態を示す。図８は、Ｙ定着用蛍光ランプ５０、及びＭ定着用蛍光ランプ５２とシャッタ手段９２との位置関係を示す要部斜視図であり、（Ａ）は、紫外線（ＵＶ光）がデジタルカメラ７０へ照射されない状態（通常時）を示し、（Ｂ）は、紫外線（ＵＶ光）がデジタルカメラ７０へ照射可能となった状態を示す。
【００４９】
図７において、保持凹部６２は紫外線（ＵＶ光）の透過率が高い材料で形成されている。したがって、Ｙ定着用蛍光ランプ５０、及びＭ定着用蛍光ランプ５２の上面がシャッタ手段９２で覆われていない状態（図７（Ｂ）及び図８（Ｂ））では、紫外線がデジタルカメラ７０へ照射される。
【００５０】
保持凹部６２の両側面には、反射板９４、９４が設けられており、反射光により紫外線のデジタルカメラ７０へ照射量を増大させるとともに、保持凹部６２以外の部分への紫外線の回り込みを防止できるようになっている。
【００５１】
同様に、Ｙ定着用蛍光ランプ５０、及びＭ定着用蛍光ランプ５２の両側面には、反射板９５、９５が設けられており、反射光により紫外線のデジタルカメラ７０へ照射量を増大させるとともに、保持凹部６２以外の部分への紫外線の回り込みを防止できるようになっている。
【００５２】
既述のシャッタ手段９２は、Ｙ定着用蛍光ランプ５０、及びＭ定着用蛍光ランプ５２と、保持凹部６２との間に配される板状の遮光部材であり、遮光位置（図７（Ａ）及び図８（Ａ））にある場合には、紫外線（ＵＶ光）がデジタルカメラ７０へ照射されない状態（通常時）を維持し、透光位置（図７（Ｂ）及び図８（Ｂ））にある場合には、紫外線（ＵＶ光）がデジタルカメラ７０へ照射される状態となる。
【００５３】
すなわち、シャッタ手段９２は、図７（Ａ）の状態と図７（Ｂ）の状態との間を移動できるように、図示されないガイド手段により水平移動可能となっている。そして、この水平移動のための駆動手段として、モータ９６が設けられている。この駆動方式としては、たとえばモータ９６の軸に固定されたピニオンギアと、シャッタ手段９２に固定され、このピニオンギアと歯合するラックとの組み合わせや、モータ９６の軸に固定されたフリクションローラ等の構成のものが採用できる。
【００５４】
更に、シャッタ手段９２が、図７（Ａ）（図８（Ａ））の状態と図７（Ｂ）（図８（Ｂ））の状態とに正確に停止できるように、リミットスイッチ９７、９８が設けられている。このうちリミットスイッチ９７は、シャッタ手段９２の左端位置検出用のものであり、リミットスイッチ９８は、シャッタ手段９２の右端位置検出用のものである。
【００５５】
次に、上記の構成の撮像装置ユニット（デジタルカメラ用クレードル１００及びデジタルカメラ７０）の操作の手順について説明する。ただし、プリンタ手段としての機能は説明済みなので、説明を省略する。
【００５６】
デジタルカメラ７０をクリーニングする際には、先ず、デジタルカメラ７０をクレードル本体６０の保持凹部６４へ挿入して、クレードル本体６０にデジタルカメラ７０を保持させる。このとき、クレードル本体６０は、通常時の状態であり、シャッタ手段９２は遮光位置（図７（Ａ）及び図８（Ａ））にあり、紫外線（ＵＶ光）がデジタルカメラ７０へ照射されない状態となっている。
【００５７】
次いで、操作部１２にクリーニングのスタート指示を入力すると、シャッタ手段９２が駆動されて、透光位置（図７（Ｂ）及び図８（Ｂ））になり、紫外線（ＵＶ光）がデジタルカメラ７０へ照射される状態となる。そして、クリーニング処理が開始される。クリーニング処理の所定時間（操作部１２より入力済み）が経過後、シャッタ手段９２が駆動されて、遮光位置（図７（Ａ）及び図８（Ａ））になる。
【００５８】
以上の操作の後、デジタルカメラ７０をクレードル本体６０の保持凹部６４より取り外し、カメラとして使用できる。
【００５９】
以上に説明したように、本実施形態によれば、拭き取り以外の方法でデジタルカメラ７０のクリーニング処理が行える。また、太陽光の届かない場所においてもデジタルカメラ７０のクリーニング処理が行える。また、デジタルカメラ７０の未使用時や充電時にクリーニング処理が行われるので、デジタルカメラ７０の使用時にクリーニング処理済みの状態にできる。更に、デジタルカメラ７０のクリーニング処理にプリンタ用の光源を使用するので、デジタルカメラ用クレードルがプリンタも兼ね、クレードルとしての機能が増大する。
【００６０】
以上、本発明に係るデジタルカメラ用クレードル及び撮像装置ユニットの実施形態について説明したが、本発明は上記実施形態に限定されるものではなく、各種の態様が採り得る。
【００６１】
たとえば、本実施形態では、シャッタ手段９２が自動で駆動されているが、これ以外の構成も採用できる。図９及び図１０は、この構成を説明する図である。なお、図９は、既述の図１に対応し、図１０は、図７に対応するものである。この図９及び図１０において、上記実施形態と同一、類似の部材については、同様の符号を付し、その詳細な説明は省略する。
【００６２】
この構成においては、シャッタ手段９２が手動で駆動される。このシャッタ手段９２には、レバー９２Ａが垂設され、このレバー９２Ａはクレードル本体６０の上面に形成された係合溝９２Ｂに沿って移動可能となっている。したがって、シャッタ手段９２は、図１０（Ａ）の状態と図１０（Ｂ）の状態との間を移動できるように、図示されないガイド手段により水平移動可能となっている。
【００６３】
そして、図１０（Ａ）の状態では、デジタルカメラ７０の装着ができない状態であり、また、クレードル本体６０の保持凹部６４は遮光状態にある。一方、図１０（Ｂ）の状態
では、デジタルカメラ７０が装着できる状態であり、また、クレードル本体６０の保持凹部６４は透光状態にある。
【００６４】
なお、図示は省略されているが、上記実施形態と同様にリミットスイッチ９７、９８を設け、シャッタ手段９２の位置検出（遮光状態と透光状態との判別）を行うこともできる。
【００６５】
以上に説明した構成を採用することにより、上記実施形態よりもシンプルな構成とでき、コストダウンも可能となる。
【００６６】
また、上記実施形態に加え、クレードル本体６０の表面にデジタルカメラ７０が装着されているときのみ、プリンタ手段が運転可能となっている構成を採用することもできる。図１１は、このような構成を実現させるためのフローを説明する図である。
【００６７】
最初に、プリント命令が出されると（ステップＳ−１００）、シャッタ手段９２の位置がデジタルカメラ７０を装着できる状態にあるか否かが判断され（ステップＳ−１１０）、デジタルカメラ７０を装着できる状態にある（Ｙｅｓ）場合には、次のステップ（ステップＳ−１２０）に移る。
【００６８】
一方、デジタルカメラ７０を装着できる状態にない（Ｎｏ）場合には、プリント実行のステップ（ステップＳ−１４０）に移る。
【００６９】
ステップＳ−１２０において、クレードル本体６０の表面にデジタルカメラ７０が装着されているか否かが判断され、装着されている状態（Ｙｅｓ）の場合には、プリント実行のステップ（ステップＳ−１４０）に移る。
【００７０】
一方、デジタルカメラ７０が装着されていない状態（Ｎｏ）の場合には、プリント中止のステップ（ステップＳ−１３０）に移る。
【００７１】
このように、クレードル本体６０の表面にデジタルカメラ７０が装着されているときのみ、プリンタ手段が運転可能とすることにより、たとえば、筐体の一部（たとえば、天板）が透明となっており、この透明部分より紫外線が外部に照射されるような構造の場合、デジタルカメラ７０を装着していない状態では、紫外線が筐体の外部に多量に照射されることは好ましくないが、このような場合であっても、デジタルカメラ７０を装着しているときにのみプリンタ手段が運転可能となっていれば、上記不具合は解消できる。
【００７２】
また、図１２にブロック図で示されるように、クレードル本体６０の表面にデジタルカメラ７０が装着されているときのみ、シャッタ手段９２が開き、クレードル本体６０の表面からデジタルカメラ７０を取り外したときに、シャッタ手段９２が閉じる構成を採用することもできる。
【図面の簡単な説明】
【００７３】
【図１】本発明に係るデジタルカメラ用クレードルの外観を示す斜視図
【図２】クレードル本体のうち、プリンタ手段としての機能を説明するブロック図
【図３】ＴＡペーパーの構成を示す断面図
【図４】プリントエンジン部及び搬送部等の構成を示す要部断面図
【図５】デジタルカメラ（撮像装置）の斜視図
【図６】デジタルカメラ用クレードルの外観を示す斜視図
【図７】デジタルカメラ用クレードルの断面図
【図８】Ｙ定着用蛍光ランプ及びＭ定着用蛍光ランプとシャッタ手段との位置関係を示す要部斜視図
【図９】デジタルカメラ用クレードルの他の態様の外観を示す斜視図
【図１０】デジタルカメラ用クレードルの他の態様の断面図
【図１１】デジタルカメラ用クレードルの他の構成を実現させるためのフローを説明する図
【図１２】デジタルカメラ用クレードルの他の構成を実現させるためのブロック図
【符号の説明】
【００７４】
１０…ＣＰＵ、１２…操作部、１４…画像入力部、１６…メモリ、１８…表示部、２０…プリントエンジン部、２２…搬送部、３０…ＴＡペーパー、６０…クレードル本体、６２…保持凹部、６４…マルチコネクタ、７０…デジタルカメラ、９０…光触媒層、９２…シャッタ手段、１００…デジタルカメラ用クレードル
【図１】
2006310970.tif 000003
【図２】
2006310970.tif 000004
【図３】
2006310970.tif 000005
【図４】
2006310970.tif 000006
【図５】
2006310970.tif 000007
【図６】
2006310970.tif 000008
【図７】
2006310970.tif 000009
【図８】
2006310970.tif 000010
【図９】
2006310970.tif 000011
【図１０】
2006310970.tif 000012
【図１１】
2006310970.tif 000013
【図１２】
2006310970.tif 000014